(57)【特許請求の範囲】
【請求項１】
建物を構築する際に使用される外壁本体の少なくとも一方の面に張設される防水シートであって、
シート表面には、
当該シートを前記外壁本体に張設した後に、前記シート表面上から前記外壁本体に取り付けられるべき所定の部材の第１の取付位置表示がなされるとともに、当該シートを１８０度上下方向に反転させて前記外壁本体に張設した後に、前記シート表面上から前記外壁本体に取り付けられるべき所定の部材の第２の取付位置表示がなされていることを特徴とする防水シート。
【請求項２】
建物を構築する際に使用される外壁本体の少なくとも一方の面に張設される防水シートであって、
シート表面には、
当該シートが前記外壁本体に張設される時の上端部或いは下端部の位置合わせ用の第１の基準線が表示されているとともに、当該シートを１８０度上下方向に反転させて前記外壁本体に張設させる時の上端部或いは下端部の位置合わせ用の第２の基準線が表示されていることを特徴とする防水シート。
【請求項３】
請求項１又は２記載の防水シートにおいて、
シート表面に表示されている各表示は、前記外壁本体の設置場所或いは取り付けられる部材の種類に応じて、異なる表示手段でなされていることを特徴とする防水シート。
【請求項４】
請求項３記載の防水シートにおいて、
前記表示手段は文字を含み、前記第２の取付位置表示および前記第２の基準線表示の文字は、第１の取付位置表示および第１の基準線表示の文字と上下方向に１８０度反転されて逆さにされていることを特徴とする防水シート。
【請求項５】
請求項１〜４の何れかに記載の防水シートにおいて、
前記外壁本体に張設される前に、予め当該防水シートの上縁部或いは下縁部のうち、少なくとも一方が所定幅、表面側に折り返されていることを特徴とする防水シート。
【請求項６】
請求項１〜５の何れかに記載の防水シートが張設されてなることを特徴とする外壁パネル。
【発明の詳細な説明】
【０００１】
【発明の属する技術分野】
本発明は、建物を構築する際に使用される外壁本体に張設される防水シートおよびこの防水シートが張設された外壁パネルに関する。
【０００２】
【背景の技術】
近年、建物の構築についてはその工業化が進み、例えば壁や床、屋根といった構成要素を予め工場にてパネル化しておき、施工現場でこれらのパネルを組み立てることにより、建物を構築するといったパネル工法が一部に採用されている。
このようなパネル工法に用いられる外壁パネルとして、例えば、図７に示すようなパネルが知られている。
【０００３】
図７に示す外壁パネル１００は、縦框材１０１，１０１と横框材１０２，１０２とが矩形状に組み立てられるとともに、この矩形枠の内部に補強芯材１０３…が縦横に組まれて枠体１０４が形成され、枠体１０４の両面に合板等の面材１０５、１０５が貼設されたものである。
そして、この外壁パネルの側端部どうしを連結させることにより、建物の外壁が構築されるようになっている。
【０００４】
また、この外壁パネルには、例えば、特開平７−１５８１８１号公報に示すように、外側の面に防水シートが張設され、その上から横胴縁が取り付けられる。
そして、前記防水シートの側端部或いは下端部は、外壁パネルの端部からはみ出るようにして設けられ、当該外壁パネルを他の外壁パネル等の部材と接合させる際、このはみ出た部分を他の部材と重ねるように張設して、接合部の防水性を高めている。
【０００５】
【発明が解決しようとする課題】
ところで、前記防水シートの外壁パネルからのはみ出し長さは、一階用の外壁パネルと二階用の外壁パネルとでは異なるため、異なる位置での下端合わせが必要であった。
また、防水シート張設の作業性を向上させるため、例えば、一階或いは二階用のそれぞれの外壁パネル仕様の防水シートにすると、他階の外壁パネルには使用出来なくなるので、防水シートの種類が増えることとなって、防水シートの在庫管理が容易でなく、また、コストも増大する。
【０００６】
本発明は上記問題点を解決するために為されたものであって、多種類の外壁本体に対してもコストがかからず取付作業を容易にすることが出来る防水シート、この防水シートを用いて各種の部材の取付が容易な外壁パネルを提供することを目的とする。
【０００７】
【課題を解決するための手段】
上記課題を解決するため、
請求項１記載の発明は、例えば、図１〜図６に示すように、建物を構築する際に使用される外壁本体（例えば、外壁パネル）２の少なくとも一方の面に張設される防水シート１であって、
シート表面には、
当該シート１を前記外壁本体２に張設した後に、前記シート表面上から前記外壁本体２に取り付けられるべき所定の部材（例えば、胴縁）３…の第１の取付位置表示がなされるとともに、当該シートを１８０度上下方向に反転させて前記外壁本体２に張設した後に、前記シート表面上から前記外壁本体２に取り付けられるべき所定の部材の第２の取付位置表示がなされていることを特徴としている。
【０００８】
請求項１記載の発明によれば、シート表面には、取り付けられるべき所定の部材３の第１の取付位置表示がなされていると同時に、上下方向に１８０度反転させても同様に取り付けられるべき所定の部材３の第２の取付位置表示がなされているので、一枚の防水シート１を用いて異なる取付場所の取付位置表示が可能となる。
即ち、例えば、一階用の外壁本体２に防水シート１を張設する場合には、そのまま第１の取付位置表示に従って所定の部材３を取り付けることが出来、また、二階用の外壁本体２に防水シート１を張設する場合には、防水シート１を１８０度上下方向に反転させて第２の取付位置表示に従って所定の部材３を取り付けることが出来ることとなって、一枚の防水シート１を１階用と２階用とで兼用出来て、防水シート１の在庫コストを増大することがない。
特に、防水シート１の上縁部１ａ或いは下縁部１ｂを予め折り返した場合には、折り返し量によって防水シート１の取付場所が制約されるが、上下方向に反転させても同様に取付位置表示がされるので、従来一ヶ所以外は使いにくい防水シート１を少なくとも二ヶ所で使える。
【０００９】
ここで、外壁本体２は、在来工法によって構築されたものであってもよいし、或いは複数の外壁パネルを連結してなるものであってもよい。外壁パネルとしては、例えば、図７に示すような、縦框材１０１，１０１と横框材１０２，１０２とが矩形状に組み立てられるとともに、この矩形枠の内部に補強芯材１０３…が縦横に組まれて枠体１０４が形成され、枠体１０４の一方の面に合板等の面材１０５が貼設されたものでもよいし、或いは単なる板材であってもよい。
所定の部材とは、例えば、横胴縁３、外壁材取付用金具或いは外部フードなどであるが、これに限らず外壁本体２に取り付けられる部材であればどのようなものであってもよい。
各所定の部材の取付は、現場で行ってもよいし、或いは予め工場で艤装してもよい。
防水シート１は、防水性を有するものであればどのようなものでもよいが、防水性と同時に透湿性を有するものであってもよい。
防水シート１への表示は、例えば、線や記号或いは文字で行う。
【００１０】
請求項２記載の発明は、建物を構築する際に使用される外壁本体２の少なくとも一方の面に張設される防水シート１であって、
シート表面には、
当該シート１が前記外壁本体２に張設される時の上端部或いは下端部２ａの位置合わせ用の第１の基準線（例えば、１Ｆ壁パネル下端合わせ位置）が表示されているとともに、当該シートを１８０度上下方向に反転させて前記外壁本体２に張設させる時の上端部或いは下端部２ａの位置合わせ用の第２の基準線（例えば、２Ｆ壁パネル下端合わせ位置）が表示されていることを特徴としている。
【００１１】
請求項２記載の発明によれば、シート表面には、シート１が外壁本体２に張設される時の上端部或いは下端部２ａの位置合わせ用の第１の基準線が表示されているとともに、シート１を１８０度上下方向に反転させて外壁本体２に張設させる時の上端部或いは下端部２ａの位置合わせ用の第２の基準線が表示されているので、一枚の防水シート１を用いて異なる取付場所の取付位置合わせが可能となる。
即ち、例えば、一階用の外壁本体２に防水シート１を張設する場合には、そのまま第１の基準線表示に従って防水シート１を取り付けることが出来、また、二階用の外壁本体２に防水シート１を張設する場合には、防水シート１を１８０度上下方向に反転させて第２の基準線表示に従って防水シート１を取り付けることが出来ることとなって、一枚の防水シート１を１階用と２階用とで兼用出来て、防水シート１の在庫コストが増大することがない。
【００１２】
請求項３記載の発明は、請求項１又は２記載の防水シート１において、
シート表面に表示されている各表示は、前記外壁本体２の設置場所或いは取り付けられる部材の種類に応じて、異なる表示手段（例えば、線や文字）でなされていることを特徴としている。
【００１３】
請求項３記載の発明によれば、請求項１又は２記載の発明と同等の効果が得られることは無論のこと、特に、シート表面の各表示は、外壁本体２の設置場所或いは取り付けられる部材の種類に応じて異なる表示手段でなされているので、より多くの種類の部材を取り付けたり、また防水シート１自体の取付場所の種類も増えることとなって、防水シート１のコスト低減や在庫の削減が図れる。
即ち、一枚の防水シート１が使用可能な外壁本体２の設置場所や取り付けられる部材の種類のバリエーションを増やすことが出来て、より防水シート１のコストの削減や在庫の増加を抑制が可能となる。
【００１４】
ここで、異なる表示手段とは、例えば、線で表示する場合には、線種を変えたり、線の太さを変えたり、或いは線の色を変えたりすることである。また、記号で表示する場合には、記号の種類を変えたり、或いは記号の色を変えたりすることである。また、文字によって表示してもよいし、文字や記号と線とを組み合わせて使用してもよい。
【００１５】
請求項４記載の発明は、請求項３記載の防水シート１において、
前記表示手段は文字を含み、前記第２の取付位置表示および前記第２の基準線表示の文字は、第１の取付位置表示および第１の基準線表示の文字と上下方向に１８０度反転されて逆さにされていることを特徴としている。
【００１６】
請求項４記載の発明によれば、請求項３記載の発明と同様の効果が得られることは無論のこと、特に、２の取付位置表示および第２の基準線表示の文字は、第１の取付位置表示および第１の基準線表示の文字と上下方向に１８０度反転されて逆さにされているので、防水シート１を１８０度上下方向に反転した場合でも見やすくなる。
【００１７】
請求項５記載の発明は、請求項１〜４の何れかに記載の防水シート１において、
前記外壁本体２に張設される前に、予め当該防水シート１の上縁部１ａ或いは下縁部１ｂのうち、少なくとも一方が所定幅、表面側に折り返されていることを特徴としている。
【００１８】
請求項５記載の発明によれば、請求項１〜４の何れかに記載の発明と同様の効果が得られることは無論のこと、特に、外壁本体２に張設される前に、予め防水シート１の上縁部１ａ或いは下縁部１ｂのうち、少なくとも一方が所定幅、表面側に折り返されているので、外壁本体２の上縁部或いは下縁部２ａから防水シート１をはみ出すように張設する場合においても、はみ出した部分を外壁本体２の内側に折り返す作業が不要となることとなって作業の効率化が図れる。
即ち、従来の防水シートでは、外壁本体よりもはみ出るように防水シートを外壁本体に張設した場合には、輸送時或いは施工時の傷防止のため、はみ出た部分を折り返す作業を行う必要があったが、予め所定幅折り返された防水シート１とすることにより、折り返し作業を省略することが出来る。
また、防水シート１の端部が外壁本体２の上端部或いは下端部２ａからはみ出るように防水シート１を取り付けようとした場合であっても、予め防水シート１を折り返しているので、折り返し部１ａ、１ｂの端部が外壁本体２の上端部或いは下端部２ａよりはみ出ない位置につけることが出来ることとなって、防水シート１の位置合わせが容易となる。
【００１９】
請求項６記載の発明は、請求項１〜５の何れかに記載の防水シート１が張設されてなることを特徴としている。
請求項６記載の発明によれば、外壁パネル２は、請求項１〜５の何れかに記載の防水シート１が張設されてなるので、この外壁パネル２を用いることにより、この外壁パネル２に取り付けられるべき所定の部材３の取付が容易となることとなって、外壁パネル２への所定の部材３の取付作業を効率的に行うことが出来る。
【００２０】
【発明の実施の形態】
以下、図を参照して本発明に係る防水シート、外壁パネルの実施の形態について詳細に説明する。
図１は、本発明に係る防水シートの正面図であり、図２は、図１の防水シートがロール状に巻かれた状態を示す斜視図である。
図１に示す本発明に係る防水シート１は、建物の外壁を構成する外壁パネル（外壁本体）２（図３）の外面に張設される防水性および透湿性のシートであり、例えば、タイベック（商品名：デュポン社製）などを使用する。
【００２１】
前記防水シート１は、例えば、上下方向が３０００ｍｍで左右に長尺な帯状のシートであって、上下方向を軸としてロール状に巻かれている。
前記防水シート１には、長手方向の一方の縁部１ａが２００ｍｍ、他方の縁部１ｂが２５０ｍｍそれぞれ表面側に折り返された折り返し部となっている。
前記折り返し部１ａ、１ｂは、そのまま折り返された状態でロール状に巻かれている。
【００２２】
次に、前記防水シート１の表面に表示される取付位置表示について説明する。
前記防水シート１の表面には、縦横に線が設けられている。
縦線は、太実線Ｖ１…と、細破線Ｖ２…と、細二点鎖線Ｖ３…と、細破線Ｖ２よりも間隔の大きい細破線Ｖ４…の異なる４種類の線種（表示手段）からなる。
太実線Ｖ１の間隔は、例えば、１モジュール＝９１０ｍｍとした場合に、ともに、１／４モジュールとなっている。
２つの太実線Ｖ１の間には、２つの細破線Ｖ２が対向配置されて表示されている。同様に、２つの細二点鎖線Ｖ３および２つの細破線Ｖ４がそれぞれ対向配置されて表示されている。
【００２３】
対向する２つの細破線Ｖ２（Ｖ２１とＶ２２）は、隣接する各々の太実線Ｖ１から４５ｍｍ離れた位置に表示され、細二点鎖線Ｖ３（Ｖ３１とＶ３２）は、隣接する各々の太実線Ｖ１から７５ｍｍ離れた位置に表示され、細破線Ｖ４（Ｖ４１とＶ４２）は、隣接する各々の太実線Ｖ１から９０ｍｍ離れた位置に表示されている。
また、対向配置された各線には、互いに逆向きの文字によって各線の説明表示ａ、ｂ、ｃがなされている。具体的には、取り付けられる外壁パネルの種類に応じた端部合わせ位置が表示されている。
前記縦線Ｖ１〜Ｖ３は、１モジュールを基本単位として構築される住宅の基準となる。
【００２４】
横線は、実線Ｈ１１〜Ｈ１３と、破線Ｈ２１、Ｈ２２と、一点鎖線Ｈ３１、Ｈ３２と、破線Ｈ２１、Ｈ２２よりも間隔の大きい破線Ｈ４１、Ｈ４２の４種類の線種（表示手段）からなり、各横線には、各横線の説明表示が文字によってなされている。また、各説明表示用の文字は、防水シートの長手方向縁部が２００ｍｍ折り返された方を下向きとして使用する場合と、防水シートを上下方向に１８０度反転させて使用する場合（即ち、防水シートの長手方向縁部が２５０ｍｍ折り返された方を下向きとした場合）とで、見やすいように上下逆さまの文字表示がなされている。
実線Ｈ１１〜Ｈ１３は、第２の取付位置表示として、２階（２Ｆ）の胴縁合わせ位置を示しており、Ｈ１１とＨ１２には、Ｈ１１を下側とした場合の「２Ｆ胴縁合わせ位置」の文字表示がなされ、Ｈ１３には、防水シートを１８０度上下方向に反転させてＨ１１を上側とした場合の「２Ｆ胴縁合わせ位置」の文字表示がなされている。
【００２５】
破線Ｈ２１，Ｈ２２は、第１の取付位置表示として、１階（１Ｆ）の胴縁合わせ位置を示しており、Ｈ２１には、Ｈ２１を下側とした場合の「１Ｆ胴縁合わせ位置」の文字表示がなされ、Ｈ２２には、防水シートを１８０度上下方向に反転させてＨ２１を上側とした場合の「１Ｆ胴縁合わせ位置」の文字表示がなされている。
一点鎖線Ｈ３１、Ｈ３２は、第２の基準線として、２階（２Ｆ）の外壁パネル下端合わせ位置を示しており、Ｈ３１には、Ｈ３１を下側とした場合の「２Ｆの壁パネル下端合わせ位置」の文字表示がなされ、Ｈ３２には、防水シートを１８０度上下方向に反転させてＨ３１を上側とした場合の「２Ｆ壁パネル下端合わせ位置」の文字表示がなされている。
破線Ｈ４１、Ｈ４２は、第１の基準線として、１階（１Ｆ）の胴縁合わせ位置を示しており、Ｈ４１には、Ｈ４１を下側とした場合の「１Ｆ壁パネル下端合わせ位置」の文字表示がなされ、Ｈ４２には、防水シートを１８０度上下方向に反転させてＨ４１を上側とした場合の「１Ｆ壁パネル下端合わせ位置」の文字表示がなされている。
【００２６】
なお、表示手段として、線種を変える以外に、例えば、一階用は黒色、二階用は赤色のように線の色を変えてもよい。
【００２７】
次に、上記防水シート１を張設した外壁パネル２について、図２〜５を用いて説明する。
図２は、図１の防水シートが張設される外壁パネルを示す斜視図であり、図３は、図１の防水シートが取り付けられた一階用の外壁パネルの正面図であり、図４は、図１の防水シートが取り付けられた二階用の外壁パネルの正面図である。
ここで、図３、図４に示した防水シート１のシート表面における各表示用線についての図示は、省略する。
【００２８】
図２に示した外壁パネル２は、縦框材２１と横框材２２とが矩形状に組み立てられるとともに、この矩形枠の内部に補強芯材（図示省略）が縦横に組まれて枠体２３が形成され、枠体２３の一方の面に合板等の面材２４が貼設されたものである。
外壁パネル２どうしは、端面部で接合され、そして、この外壁パネル２の一方の面には、図３、図４に示すように前記防水シート１が張設される。防水シート１の外壁パネル２への張設は、例えば、ステープル打ちでもよいし、或いは接着剤でもよい。
そして、外壁パネル２が一階の外壁として使用される場合には、図３に示すように、折り返し部が２００ｍｍの縁部１ａが下側に位置するように防水シート１が配置され、外壁パネル２の下端部２ａから９０ｍｍとなる位置に折り返し部１ａ（斜線部）の下端部が位置するように防水シート１が張設されている。
【００２９】
また、外壁パネル２が二階の外壁として使用される場合には、図４に示すように、折り返し部１ａ、１ｂが２５０ｍｍの縁部１ｂが下側に位置するように防水シート１を配置させ、外壁パネル２の下端部２ａから９０ｍｍとなる位置に折り返し部１ｂ（斜線部）の下端部が位置するように防水シート１が張設されている。
【００３０】
なお、防水シート１の左端部は、外壁パネルの寸法種類によって、切断される位置はＶ２、Ｖ３、Ｖ４の何れかとなる。
また、防水シートが折り返されていない場合、当該防水シートを一階の外壁パネルに張設するときは、Ｈ４１に外壁パネル２の下端部を合わせて行う。一方、当該防水シートを二階の外壁パネルに張設するときは、防水シートを上下方向に１８０度反転させてＨ３２に外壁パネル２の下端部を合わせて行う。
そして、外壁パネル２が一階の外壁として使用される場合には、例えば、図４に示すように、破線Ｈ２１に合わされて横胴縁３…が取り付けられるようになっている。
【００３１】
外壁パネル２が二階の外壁として使用される場合には、防水シート１の長手方向縁部が２５０ｍｍ折り返された方を下向きとして外壁パネル２の下端部２ａが破線Ｈ４１に合わされて張設される。そして、実線Ｈ１１、Ｈ１２に合わされて横胴縁３…が取り付けられるようになっている。
【００３２】
次に、上記防水シート１の外壁パネル２への張設方法および外壁パネル２への横胴縁取付方法について説明する。
長手方向の縁部が折り返されている防水シートの場合には、外壁パネル２が一階の外壁として使用されるときには、折り返し部が２００ｍｍの縁部１ａが下側に位置するように防水シート１を配置し、外壁パネル２の下端部２ａから９０ｍｍとなる位置に折り返し部１ａ（斜線部）の下端部が位置するように防水シート１を張設する。
また、外壁パネル２が二階の外壁として使用されるときには、折り返し部１ａ、１ｂが２５０ｍｍの縁部１ｂが下側に位置するように防水シート１を上下方向に１８０度反転させて配置し、外壁パネル２の下端部２ａから９０ｍｍとなる位置に折り返し部１ｂ（斜線部）の下端部が位置するように防水シート１を張設する。
【００３３】
一方、長手方向の縁部が折り返されていない防水シートの場合には、まず、外壁パネル２の種類に応じて防水シート１の下端合わせを行う。
即ち、一階の外壁パネル２の場合、外壁パネル２の下端部２ａを防水シート１の破線Ｈ４１に合わせて張設し、二階の外壁パネル２の場合、防水シートを１８０度上下方向に回転させて外壁パネル２の下端部２ａを防水シート１のＨ３２に合わせて張設する。
【００３４】
以上説明した本発明に係る防水シート１によれば、一階用の外壁パネル２に防水シート１を張設する場合には、そのまま１Ｆ胴縁合わせ位置に従って胴縁３…を取り付けることが出来、また、二階用の外壁パネル２に防水シート１を張設する場合には、防水シート１を１８０度上下方向に反転させて２Ｆ胴縁合わせ位置に従って胴縁３…を取り付けることが出来る。
同様に、一階用の外壁パネル２に防水シート１を張設する場合には、そのまま１Ｆ壁パネル下端合わせ位置に従って防水シート１を取り付けることが出来、また、二階用の外壁パネル２に防水シート１を張設する場合には、防水シート１を１８０度上下方向に反転させて２Ｆ壁パネル下端合わせ位置に従って防水シート１を取り付けることが出来る。
従って、一枚の防水シート１を１階用と２階用とで兼用出来て、防水シート１の在庫コストを増大することがない。
特に、防水シート１の縁部１ａ、１ｂを予め折り返した場合には、折り返し量によって防水シート１の取付場所が制約されるが、上下方向に反転させても同様に取付位置表示がされるので、従来一ヶ所以外は使いにくい防水シート１を少なくとも二ヶ所で使える。
【００３５】
また、シート表面の各表示は、外壁パネル２の設置場所或いは取り付けられる部材の種類に応じて異なる線種で表示されているので、より多くの種類の部材を取り付けたり、また防水シート１自体の取付場所の種類も増えることとなって、防水シート１のコスト低減や在庫の削減が図れる。
特に、１８０度反転した場合には、必要な線上にある文字が予め逆さとされているので、反転しても文字が見づらくなることない。
加えて、外壁パネル２に張設される前に、予め防水シート１の縁部１ａ、１ｂのうち、少なくとも一方が所定幅、表面側に折り返されているので、外壁パネル２の上縁部或いは下縁部２ａから防水シート１をはみ出すように張設する場合においても、はみ出した部分を外壁パネル２の内側に折り返す作業が不要となることとなって作業の効率化が図れる。
即ち、従来の防水シートでは、外壁パネルよりもはみ出るように防水シートを外壁パネルに張設した場合には、輸送時或いは施工時の傷防止のため、はみ出た部分を折り返す作業を行う必要があったが、予め所定幅折り返された防水シート１とすることにより、折り返し作業を省略することが出来る。
【００３６】
また、防水シート１の端部が外壁パネル２の上端部或いは下端部２ａからはみ出るように防水シート１を取り付けようとした場合であっても、予め防水シート１を折り返しているので、折り返し部１ａ、１ｂの端部が外壁パネル２の上端部或いは下端部２ａよりはみ出ない位置につけることが出来ることとなって、防水シート１の位置合わせが容易となる。
さらに、本発明の外壁パネル２には、本発明の防水シート１が張設されているので、この外壁パネル２を用いることにより、この外壁パネル２に取り付けられるべき所定の部材３の取付が容易となることとなって、外壁パネル２への所定の部材３の取付作業を効率的に行うことが出来る。
【００３７】
なお、防水シート１の外壁パネル２への張設は現場で行ってもよいし、或いは予め工場で艤装してもよい。
また、防水シートの折り返し部は、折り返すだけであるとしたが、折り返し部を粘着テープ等の剥がすことが出来る貼着手段によって粘着してもよい。
防水シートの折り返し量は、設計事項であり、適宜変更してよい。
【００３８】
【発明の効果】
請求項１記載の発明によれば、シート表面には、取り付けられるべき所定の部材の第１の取付位置表示がなされていると同時に、上下方向に１８０度反転させても同様に取り付けられるべき所定の部材の第２の取付位置表示がなされているので、一枚の防水シートを用いて異なる取付場所の取付位置表示が可能となる。
特に、防水シートの上縁部或いは下縁部を予め折り返した場合には、折り返し量によって防水シートの取付場所が制約されるが、上下方向に反転させても同様に取付位置表示がされるので、従来一ヶ所以外は使いにくい防水シートを少なくとも二ヶ所で使える。
【００３９】
請求項２記載の発明によれば、シート表面には、シートが外壁本体に張設される時の上端部或いは下端部の位置合わせ用の第１の基準線が表示されているとともに、シートを１８０度上下方向に反転させて外壁本体に張設させる時の上端部或いは下端部の位置合わせ用の第２の基準線が表示されているので、一枚の防水シートを用いて異なる取付場所の取付位置合わせが可能となる。
【００４０】
請求項３記載の発明によれば、請求項１又は２記載の発明と同等の効果が得られることは無論のこと、特に、シート表面の各表示は、外壁本体の設置場所或いは取り付けられる部材の種類に応じて異なる表示手段でなされているので、より多くの種類の部材を取り付けたり、また防水シート自体の取付場所の種類も増えることとなって、防水シートのコスト低減や在庫の削減が図れる。
即ち、一枚の防水シートが使用可能な外壁本体の設置場所や取り付けられる部材の種類のバリエーションを増やすことが出来て、より防水シートのコストの削減や在庫の増加を抑制が可能となる。
【００４１】
請求項４記載の発明によれば、請求項３記載の発明と同様の効果が得られることは無論のこと、特に、第２の取付位置表示および第２の基準線表示の文字は、第１の取付位置表示および第１の基準線表示の文字と上下方向に１８０度反転されて逆さにされているので、防水シートを１８０度上下方向に反転した場合でも見やすくなる。
【００４２】
請求項５記載の発明によれば、請求項１〜４の何れかに記載の発明と同様の効果が得られることは無論のこと、特に、外壁本体に張設される前に、予め防水シートの上縁部或いは下縁部のうち、少なくとも一方が所定幅、表面側に折り返されているので、外壁本体の上縁部或いは下縁部から防水シートをはみ出すように張設する場合においても、はみ出した部分を外壁本体の内側に折り返す作業が不要となることとなって作業の効率化が図れる。
【００４３】
請求項６記載の発明によれば、外壁パネル２は、請求項１〜５の何れかに記載の防水シートが張設されてなるので、この外壁パネルを用いることにより、この外壁パネルに取り付けられるべき所定の部材の取付が容易となることとなって、外壁パネルへの所定の部材の取付作業を効率的に行うことが出来る。
【図面の簡単な説明】
【図１】本発明に係る防水シートの正面図である。
【図２】図１の防水シートがロール状に巻かれた状態を示す斜視図である。
【図３】図１の防水シートが張設される外壁パネルを示す斜視図である。
【図４】図１の防水シートが取り付けられた一階用の外壁パネルの正面図である。
【図５】図１の防水シートが取り付けられた二階用の外壁パネルの正面図である。
【図６】胴縁が取り付けられた一階の外壁パネルの斜視図である。
【図７】従来の外壁パネルの斜視図である。
【符号の説明】
１    防水シート
１ａ  上縁部
１ｂ  下縁部
２    外壁パネル（外壁本体）
２ａ  下端部
３    横胴縁（所定の部材）
【図１】
0004124919.tif 000002
【図２】
0004124919.tif 000003
【図３】
0004124919.tif 000004
【図４】
0004124919.tif 000005
【図５】
0004124919.tif 000006
【図６】
0004124919.tif 000007
【図７】
0004124919.tif 000008